(57)【要約】【課題】メニュー項目の表示される領域の大きさが変動する場合であっても、ユーザが自分の選択したメニュー項目を容易に認識できるようにする。【解決手段】携帯端末は、表示面のサブ領域１６２ｂ内に複数のメニュー項目１６３を表示し、複数のメニュー項目１６３のいずれかが選択されたことに応じて、サブ領域１６２ｂをサブ領域１６２ａに縮小し、サブ領域１６２ａ内に複数のメニュー項目１６３の一部を表示する。また、携帯端末は、サブ領域１６２ａに表示される複数のメニュー項目１６３の一部に、ユーザにより選択されたメニュー項目１６３が含まれない場合には、このメニュー項目１６３を表すアイコン１６４をサブ領域１６２ａにおける所定の位置に表示する。【選択図】図９
2015141662.tif 000002
【特許請求の範囲】
【請求項１】
表示面を有する表示部と、
前記表示部を制御する表示制御部とを備え、
前記表示制御部は、
前記表示面の第１領域内に複数のメニュー項目を表示し、
前記複数のメニュー項目のいずれかが選択されたことに応じて、前記第１領域を第２領域に縮小し、前記第２領域内に前記複数のメニュー項目の一部を表示し、
前記第２領域に表示される前記複数のメニュー項目の一部に前記選択されたメニュー項目が含まれない場合には、前記選択されたメニュー項目を表すオブジェクトを前記第２領域における所定の位置に表示する
表示装置。
【請求項２】
前記表示制御部は、前記選択されたメニュー項目の前記第１領域内の表示位置を含む所定の範囲内の位置から前記所定の位置へと前記オブジェクトが移動する動画像を表示した後、前記オブジェクトを前記所定の位置に表示する
請求項１に記載の表示装置。
【請求項３】
自装置の移動を検出する検出部をさらに備え、
前記表示制御部は、前記検出部により前記移動が検出された場合には、前記動画像の内容又は前記動画像の表示を開始するタイミングを変化させる
請求項２に記載の表示装置。
【請求項４】
前記表示制御部は、前記検出部により前記移動が検出された場合には、前記オブジェクトの移動速度を減少させる
請求項３に記載の表示装置。
【請求項５】
前記表示制御部は、前記検出部により前記移動が検出された後、当該移動が検出されなくなったときに、前記動画像の表示を開始する
請求項３に記載の表示装置。
【請求項６】
前記表示制御部は、前記選択されたメニュー項目の前記第１領域内の位置に応じて、前記オブジェクトの外観を変化させる
請求項１から５のいずれか１項に記載の表示装置。
【請求項７】
前記表示制御部は、前記オブジェクトの表示後、前記複数のメニュー項目の表示指示が入力されたことに応じて、前記オブジェクトを非表示にし、前記第２領域を前記第１領域に拡大し、前記第１領域内に前記複数のメニュー項目を表示し、前記複数のメニュー項目に含まれる前記選択されたメニュー項目の外観を他のメニュー項目とは異なる外観に変更する
請求項１から６のいずれか１項に記載の表示装置。
【請求項８】
表示部の表示面の第１領域内に複数のメニュー項目を表示するステップと、
前記複数のメニュー項目のいずれかが選択されたことに応じて、前記第１領域を第２領域に縮小し、前記第２領域内に前記複数のメニュー項目の一部を表示するステップと、
前記第２領域に表示される前記複数のメニュー項目の一部に前記選択されたメニュー項目が含まれない場合には、前記選択されたメニュー項目を表すオブジェクトを前記第２領域における所定の位置に表示するステップと
を備える表示方法。
【請求項９】
コンピュータに、
表示部の表示面の第１領域内に複数のメニュー項目を表示するステップと、
前記複数のメニュー項目のいずれかが選択されたことに応じて、前記第１領域を第２領域に縮小し、前記第２領域内に前記複数のメニュー項目の一部を表示するステップと、
前記第２領域に表示される前記複数のメニュー項目の一部に前記選択されたメニュー項目が含まれない場合には、前記選択されたメニュー項目を表すオブジェクトを前記第２領域における所定の位置に表示するステップと
を実行させるためのプログラム。
【発明の詳細な説明】
【技術分野】
【０００１】
本発明は、メニューを表示する技術に関する。
【背景技術】
【０００２】
近年、携帯電話機やスマートフォンなどの機器では、ユーザによる機能の選択を容易にするためにメニューが表示される。特許文献１には、携帯端末機の待ち受け画面の一側面に、複数のアイコンが配列されたツールバーを表示することが記載されている。
【先行技術文献】
【特許文献】
【０００３】
【特許文献１】特開２０１３−１０１６３０号公報
【発明の概要】
【発明が解決しようとする課題】
【０００４】
特許文献１に記載の技術のように、メニュー項目が表示される領域の大きさが固定されている場合には、例えばメニュー項目を選択する操作に応じてそのメニュー項目の色を変化させることにより、ユーザは自分が選択したアイコンを容易に把握することができる。しかし、例えばメニュー項目の表示される領域の大きさが変動する場合には、この変動によりユーザにより選択されたメニュー項目が非表示になると、ユーザは自分が選択したメニュー項目を認識し難くなる。
本発明は、メニュー項目が表示される領域の大きさが変動する場合であっても、ユーザが自分の選択したメニュー項目を容易に認識できるようにすることを目的とする。
【課題を解決するための手段】
【０００５】
本発明は、表示面を有する表示部と、前記表示部を制御する表示制御部とを備え、前記表示制御部は、前記表示面の第１領域内に複数のメニュー項目を表示し、前記複数のメニュー項目のいずれかが選択されたことに応じて、前記第１領域を第２領域に縮小し、前記第２領域内に前記複数のメニュー項目の一部を表示し、前記第２領域に表示される前記複数のメニュー項目の一部に前記選択されたメニュー項目が含まれない場合には、前記選択されたメニュー項目を表すオブジェクトを前記第２領域における所定の位置に表示する表示装置を提供する。
【０００６】
前記表示制御部は、前記選択されたメニュー項目の前記第１領域内の表示位置を含む所定の範囲内の位置から前記所定の位置へと前記オブジェクトが移動する動画像を表示した後、前記オブジェクトを前記所定の位置に表示してもよい。
【０００７】
前記表示装置は、自装置の移動を検出する検出部をさらに備え、前記表示制御部は、前記検出部により前記移動が検出された場合には、前記動画像の内容又は前記動画像の表示を開始するタイミングを変化させてもよい。
【０００８】
前記表示制御部は、前記検出部により前記移動が検出された場合には、前記オブジェクトの移動速度を減少させてもよい。
【０００９】
前記表示制御部は、前記検出部により前記移動が検出された後、当該移動が検出されなくなったときに、前記動画像の表示を開始してもよい。
【００１０】
前記表示制御部は、前記選択されたメニュー項目の前記第１領域内の位置に応じて、前記オブジェクトの外観を変化させてもよい。
【００１１】
前記表示制御部は、前記オブジェクトの表示後、前記複数のメニュー項目の表示指示が入力されたことに応じて、前記オブジェクトを非表示にし、前記第２領域を前記第１領域に拡大し、前記第１領域内に前記複数のメニュー項目を表示し、前記複数のメニュー項目に含まれる前記選択されたメニュー項目の外観を他のメニュー項目とは異なる外観に変更してもよい。
【００１２】
本発明は、表示部の表示面の第１領域内に複数のメニュー項目を表示するステップと、前記複数のメニュー項目のいずれかが選択されたことに応じて、前記第１領域を第２領域に縮小し、前記第２領域内に前記複数のメニュー項目の一部を表示するステップと、前記第２領域に表示される前記複数のメニュー項目の一部に前記選択されたメニュー項目が含まれない場合には、前記選択されたメニュー項目を表すオブジェクトを前記第２領域における所定の位置に表示するステップとを備える表示方法を提供する。
【００１３】
本発明は、コンピュータに、表示部の表示面の第１領域内に複数のメニュー項目を表示するステップと、前記複数のメニュー項目のいずれかが選択されたことに応じて、前記第１領域を第２領域に縮小し、前記第２領域内に前記複数のメニュー項目の一部を表示するステップと、前記第２領域に表示される前記複数のメニュー項目の一部に前記選択されたメニュー項目が含まれない場合には、前記選択されたメニュー項目を表すオブジェクトを前記第２領域における所定の位置に表示するステップとを実行させるためのプログラムを提供する。
【発明の効果】
【００１４】
本発明によれば、メニュー項目の表示される領域の大きさが変動する場合であっても、ユーザは自分の選択したメニュー項目を容易に認識することができる。
【図面の簡単な説明】
【００１５】
【図１】携帯端末のハードウェア構成を示す図である。
【図２】携帯端末の機能構成を示す図である。
【図３】メニュー表示処理を示すフローチャートである。
【図４】メニュー表示処理を示すフローチャートである。
【図５】メニュー表示処理を示すフローチャートである。
【図６】表示部の表示面に表示される画面の一例を示す図である。
【図７】表示部の表示面に表示される画面の一例を示す図である。
【図８】表示部の表示面に表示される画面の一例を示す図である。
【図９】表示部の表示面に表示される画面の一例を示す図である。
【図１０】表示部の表示面に表示される画面の一例を示す図である。
【図１１】表示部の表示面に表示される画面の一例を示す図である。
【図１２】変形例に係る携帯端末の機能構成を示す図である。
【発明を実施するための形態】
【００１６】
１．構成
図１は、携帯端末１０のハードウェア構成を示す図である。携帯端末１０は、例えば携帯電話機やスマートフォンである。携帯端末１０は、プロセッサ１１と、メインメモリ１２と、通信部１３と、音声入出力部１４と、入力部１５と、表示部１６と、記憶部１７と、加速度センサ１８とを備える。
【００１７】
プロセッサ１１は、例えばＣＰＵ（Central Processing Unit）により構成される。プロセッサ１１は、記憶部１７に記憶されたプログラムを実行することにより、携帯端末１０の各部を制御する。メインメモリ１２は、例えばＲＡＭ（Random Access Memory）により構成される。メインメモリ１２は、プログラムやデータを一時的に記憶する。メインメモリ１２は、プロセッサ１１がプログラムを実行する際の作業領域として用いられる。通信部１３は、ネットワークに接続される通信用のインタフェースである。通信部１３は、ネットワークを介して他の携帯端末１０と通信を行う。
【００１８】
音声入出力部１４は、例えばマイクロフォンとスピーカとにより構成される。音声入出力部１４は、音声の入出力を行う。入力部１５は、例えばタッチパネルとキーとにより構成される。入力部１５は、ユーザの操作に応じた信号をプロセッサ１１に入力する。表示部１６は、例えば液晶ディスプレイにより構成される。表示部１６は、表示面を有し、各種の情報を表示面上に表示する。記憶部１７は、例えばフラッシュメモリにより構成される。記憶部１７には、各種のプログラムやデータが記憶される。加速度センサ１８は、携帯端末１０の加速度を測定する。
【００１９】
図２は、携帯端末１０の機能構成を示す図である。携帯端末１０は、本発明に係る表示装置の一例である。携帯端末１０は、プロセッサ１１が１又は複数のプログラムを実行することにより、表示制御部１１１として機能する。表示制御部１１１は、表示部１６を制御して、表示面上に各種の画像を表示する。
【００２０】
２．動作
携帯端末１０は、アプリケーションにより実行される処理に関するメニュー項目１６３を表示するメニュー表示処理を行う。図３から図５は、メニュー表示処理を示すフローチャートである。図６から図１１は、表示部１６の表示面に表示される画面の一例を示す図である。なお、図９は、表示部１６の表示面に表示される画面の一部を拡大して示す図である。
【００２１】
（１）メニュー表示処理１
例えばアプリケーションが起動されると、表示部１６には図６に示す画面が表示される。この画面には、サブ領域１６２ａが設けられる。サブ領域１６２ａには、アプリケーションにより実行される処理に関する複数のメニュー項目１６３の一部が表示される。このメニュー項目１６３は、例えばアプリケーションにより実行される処理の選択肢である。図６に示す例では、サブ領域１６２ａには、４個×１段のメニュー項目１６３が表示される。サブ領域１６２ａのＸ方向の端には、全てのメニュー項目１６３を表示するための「メニュー」というメニュー項目１６３が表示される。
【００２２】
ユーザは、全てのメニュー項目１６３を閲覧したい場合には、サブ領域１６２ａを−Ｙ方向にフリックするか、「メニュー」というメニュー項目１６３をタップすることにより、全てのメニュー項目１６３の表示指示を入力する。ユーザによりこの表示指示が入力されると、メニュー表示処理は図３に示すステップＳ１０１に進む。
【００２３】
ステップＳ１０１において、表示制御部１１１は、サブ領域１６２ａをサブ領域１６２ｂに拡大する。ステップＳ１０２において、表示制御部１１１は、サブ領域１６２ｂ内に全てのメニュー項目１６３を表示する。このサブ領域１６２ｂは、本発明に係る第１領域の一例である。例えば図７に示すように、サブ領域１６２ａが−Ｙ方向に拡大されてサブ領域１６２ｂとなる。サブ領域１６２ｂには、４個×３段のメニュー項目１６３が表示される。
【００２４】
（２）メニュー表示処理２
ユーザは、サブ領域１６２ｂ内に表示された複数のメニュー項目１６３の中から１のメニュー項目１６３をタップすることにより、このメニュー項目１６３を選択する。ユーザによりメニュー項目１６３が選択されると、メニュー表示処理は図４に示すステップＳ２０１に進む。
【００２５】
ステップＳ２０１において、表示制御部１１１は、ユーザにより選択されたメニュー項目１６３の色を変更する。例えば、メニュー項目１６３が通常の灰色で表示される場合には、ユーザにより選択されたメニュー項目１６３の色が灰色からピンク色に変更される。
【００２６】
ステップＳ２０２において、表示制御部１１１は、サブ領域１６２ｂがサブ領域１６２ａに縮小されたときに、サブ領域１６２ａ内に表示されるメニュー項目１６３の中に、ユーザにより選択されたメニュー項目１６３が含まるか否かを判断する。このサブ領域１６２ａは、本発明に係る第２領域の一例である。
【００２７】
例えば、図７に示すサブ領域１６２ｂがサブ領域１６２ａに縮小されると、サブ領域１６２ａには、最上段の４個のメニュー項目１６３だけが表示される。例えば、図７に示すサブ領域１６２ｂの最上段に表示されたメニュー項目１６３のいずれかがユーザにより選択された場合には、サブ領域１６２ａに表示されるメニュー項目１６３の中に、ユーザにより選択されたメニュー項目１６３が含まれると判断される（ステップＳ２０２：ＹＥＳ）。この場合、メニュー表示処理はステップＳ２０３に進む。
【００２８】
ステップＳ２０３において、表示制御部１１１は、サブ領域１６２ｂをサブ領域１６２ａに縮小する。ステップＳ２０４において、表示制御部１１１は、サブ領域１６２ａ内にメニュー項目１６３の一部を表示する。例えば図８に示すように、サブ領域１６２ｂがＹ方向に沿って縮小されてサブ領域１６２ａとなる。サブ領域１６２ａには、最上段の４個のメニュー項目１６３が表示される。
【００２９】
一方、例えば、図７に示すサブ領域１６２ｂの中段又は最下段に表示されたメニュー項目１６３のいずれかがユーザにより選択された場合には、上述したステップＳ２０２において、サブ領域１６２ａに表示されるメニュー項目１６３の中に、ユーザにより選択されたメニュー項目１６３が含まれないと判断される（ステップＳ２０２：ＮＯ）。この場合、メニュー表示処理はステップＳ２０５に進む。
【００３０】
ステップＳ２０５において、表示制御部１１１は、サブ領域１６２ｂをサブ領域１６２ａに縮小しつつ、ユーザにより選択されたメニュー項目１６３を表すアイコン１６４の動画像を表示する。アイコン１６４は、本発明に係るオブジェクトの一例である。なお、アイコン１６４は、ユーザの操作に用いられるＧＵＩ（graphical user interface）の機能は有していない。アイコン１６４は、例えばユーザにより選択されたメニュー項目１６３に含まれるマーク１６５に基づいて生成される。アイコン１６４は、予め生成され、記憶部１７に記憶されてもよい。動画像において、アイコン１６４は、ユーザにより選択されたメニュー項目１６３の表示位置から、サブ領域１６２ａ内の所定の位置へと移動する。この所定の位置は、例えばサブ領域１６２ａにおいてＸ方向の端に表示されるメニュー項目１６３の右上の位置である。
【００３１】
例えば、ユーザにより「チェックリスト」というメニュー項目１６３が選択された場合には、図９に示すように、サブ領域１６２ｂがＹ方向に沿って縮小されてサブ領域１６２ａとなる。また、これと並行して、「チェックリスト」というメニュー項目１６３を表すアイコン１６４の動画像が表示される。このアイコン１６４は、「チェックリスト」というメニュー項目１６３に含まれるマーク１６５の色を反転させた画像である。動画像において、アイコン１６４は、「チェックリスト」というメニュー項目１６３の右上の位置から、サブ領域１６２ａのＸ方向の端に表示される「メニュー」というメニュー項目１６３の右上の位置へと放物線を描くように移動する。
【００３２】
ステップＳ２０６において、表示制御部１１１は、サブ領域１６２ａ内にメニュー項目１６３の一部を表示するとともに、サブ領域１６２ａ内の所定の位置にアイコン１６４を表示する。例えば図１０に示すように、最上段の４個のメニュー項目１６３がサブ領域１６２ａに表示される。また、サブ領域１６２ａのＸ方向の端には、「メニュー」というメニュー項目１６３が表示され、このメニュー項目１６３の右上には、「チェックリスト」というメニュー項目１６３を表すアイコン１６４が表示される。
【００３３】
また、上述したメニュー項目１６３の選択に応じて、選択されたメニュー項目１６３に対応する処理が実行される。表示制御部１１１は、上述したステップＳ２０４又はＳ２０６において、この処理の結果を表す画像をメイン領域１６１に表示する。例えば、ユーザにより「チェックリスト」というメニュー項目１６３が選択された場合には、メイン領域１６１にはこのメニュー項目１６３に対応する処理の結果を表す画像が表示される。このメイン領域１６１は、メイン領域１６１とサブ領域１６２ａ又は１６２ｂとを合わせた領域から、サブ領域１６２ａ又は１６２ｂを除いた領域である。したがって、ステップＳ２０３又はＳ２０５でサブ領域１６２ｂが縮小されると、メイン領域１６１は、サブ領域１６２ｂが縮小された分だけ拡大される。ステップＳ２０３又はＳ２０５でサブ領域１６２ｂが縮小されるのは、メイン領域１６１に表示される画像を見やすくするためである。
【００３４】
（３）メニュー表示処理３
図１０に示すように、サブ領域１６２ａ内にアイコン１６４が表示された状態で、再びユーザにより全てのメニュー項目１６３の表示指示が入力されると、メニュー表示処理は図５に示すステップＳ３０１に進む。
【００３５】
ステップＳ３０１において、表示制御部１１１は、サブ領域１６２ａ内のアイコン１６４を非表示にする。ステップＳ３０２において、表示制御部１１１は、サブ領域１６２ａをサブ領域１６２ｂに拡大する。ステップＳ３０３において、表示制御部１１１は、サブ領域１６２ｂ内に全てのメニュー項目１６３を表示する。ステップＳ３０４において、表示制御部１１１は、選択中のメニュー項目１６３の色を変更する。
【００３６】
例えば図１１に示すように、サブ領域１６２ａ内のアイコン１６４が非表示になる。サブ領域１６２ａが−Ｙ方向に沿って拡大されてサブ領域１６２ｂとなる。サブ領域１６２ｂには、４個×３段のメニュー項目１６３が表示される。また、例えば「チェックリスト」というメニュー項目１６３が選択中である場合には、サブ領域１６２ｂ内に表示されるメニュー項目１６３のうち、この「チェックリスト」というメニュー項目１６３の色が変更される。例えば、メニュー項目１６３が通常の灰色で表示される場合には、「チェックリスト」というメニュー項目１６３の色が灰色からピンク色に変更される。
【００３７】
本実施形態では、ユーザによるメニュー項目１６３の選択に応じて、サブ領域１６２ｂがサブ領域１６２ａに縮小されるときに、ユーザにより選択されたメニュー項目１６３を表すアイコン１６４がサブ領域１６２ａに表示される。このアイコン１６４により、ユーザは自分が選択したメニュー項目１６３を容易に認識することができる。特に、メニュー項目１６３が隠れるようなものである場合には、更に効果がある。
【００３８】
また、本実施形態では、アイコン１６４は、ユーザにより選択されたメニュー項目１６３の表示位置から移動する。これにより、ユーザは、アイコン１６４が小さい場合であっても、アイコン１６４がどのメニュー項目１６３に対応するものかを容易に認識することができる。
【００３９】
３．変形例
本発明は、上述した実施形態に限定されない。例えば、上述した実施形態を以下のように変形してもよい。また、以下の変形例を組み合わせてもよい。
【００４０】
上述した実施形態で説明した動画像がユーザの移動中に表示される場合、ユーザがアイコン１６４の移動が開始される位置を見逃してしまう恐れがある。この場合、ユーザは、アイコン１６４がどのメニュー項目１６３に対応するものかを認識し難くなる。そこで、表示制御部１１１は、ユーザの移動中に動画像が表示される場合には、動画像の内容を変化させてもよい。
【００４１】
図１２は、本変形例に係る携帯端末１０の機能構成を示す図である。携帯端末１０は、プロセッサ１１が１又は複数のプログラムを実行することにより、図２に示す表示制御部１１１に加えて、検出部１１２として機能する。検出部１１２は、携帯端末１０の移動を検出する。具体的には、検出部１１２は、加速度センサ１８により測定された加速度に基づいて、携帯端末１０の移動を検出する。例えば、検出部１１２は、加速度センサ１８により測定された加速度が０以外の値である場合には、携帯端末１０の移動を検出する。なお、誤差を考慮して、検出部１１２は、加速度センサ１８により測定された加速度が０を含む所定の範囲外の値である場合に、携帯端末１０の移動を検出してもよい。
【００４２】
表示制御部１１１は、ユーザの移動中に動画像が表示される場合には、動画像におけるアイコン１６４の移動速度を減少させる。具体的には、表示制御部１１１は、図４に示すステップＳ２０５において、検出部１１２により携帯端末１０の移動が検出されたか否かを判断する。携帯端末１０の移動が検出されていない場合、表示制御部１１１は、動画像においてアイコン１６４を所定の第１の速度で移動させる。一方、携帯端末１０の移動が検出された場合、表示制御部１１１は、動画像においてアイコン１６４を所定の第１の速度より小さい第２の速度で移動させる。
【００４３】
また、表示制御部１１１は、ユーザの移動中に動画像が表示される場合には、動画像の表示及びサブ領域１６２ｂの縮小を開始するタイミングを、ユーザの移動が終わるまで延期してもよい。具体的には、表示制御部１１１は、図４に示すステップＳ２０５において、検出部１１２により携帯端末１０の移動が検出されたか否かを判断する。携帯端末１０の移動が検出された場合、表示制御部１１１は、携帯端末１０の移動が検出されている間は動画像の表示及びサブ領域１６２ｂの縮小を開始せず、その後移動が検出されなくなったときに動画像の表示及びサブ領域１６２ｂの縮小を開始する。
【００４４】
上述した実施形態において、表示制御部１１１は、ユーザにより選択されたメニュー項目１６３の位置に応じて、アイコン１６４の外観を変化させてもよい。例えば、図７に示すサブ領域１６２ｂにおいて、ユーザにより最上段に表示されたメニュー項目１６３のいずれかが選択された場合、表示制御部１１１は、そのメニュー項目１６３を表すアイコン１６４を青色で表示する。ユーザにより中段のメニュー項目１６３のいずれかが選択された場合、表示制御部１１１は、そのメニュー項目１６３を表すアイコン１６４を緑色で表示する。ユーザにより最下段のメニュー項目１６３のいずれかが選択された場合、表示制御部１１１は、そのメニュー項目１６３を表すアイコン１６４を赤色で表示する。これにより、ユーザは、アイコン１６４がどの位置に表示されたメニュー項目１６３に対応するものかを容易に認識することができる。また、本変形例において、表示制御部１１１は、アイコン１６４の色以外の外観、例えばアイコン１６４の大きさや形状を変更してもよい。
【００４５】
上述した実施形態において、表示制御部１１１は、ユーザにより選択されたメニュー項目１６３の内容に応じて、アイコン１６４の外観を変化させてもよい。このメニュー項目１６３の内容とは、例えばメニュー項目１６３に対応する処理の種別である。例えば、ユーザにより選択されたメニュー項目１６３に対応する処理が、ダウンロードに関するものである場合、表示制御部１１１は、そのメニュー項目１６３を表すアイコン１６４を青色で表示する。一方、ユーザにより選択されたメニュー項目１６３に対応する処理が、ページ遷移に関するものである場合、表示制御部１１１は、そのメニュー項目１６３を表すアイコン１６４をピンク色で表示する。
【００４６】
上述した実施形態において、サブ領域１６２ａ又は１６２ｂに表示されるメニュー項目１６３は、所定の操作により移動されてもよい。例えば図７に示す画面において、サブ領域１６２ｂ内で長押し操作が行われた場合には、メニュー項目１６３をドラッグアンドドロップする操作により、このメニュー項目１６３が移動されてもよい。
【００４７】
上述した実施形態では、表示制御部１１１は、図４に示すステップＳ２０１及び図５に示すステップＳ３０４において、ユーザにより選択されたメニュー項目１６３の色を変更していたが、色以外の外観を変更してもよい。例えば、ユーザにより選択されたメニュー項目１６３の大きさや形状を変更してもよいし、ユーザにより選択されたメニュー項目１６３に枠等の装飾画像を付加してもよい。
【００４８】
動画像においてアイコン１６４が移動を開始する位置は、ユーザにより選択されたメニュー項目１６３の表示位置に限定されない。アイコン１６４の移動開始位置は、ユーザにより選択されたメニュー項目１６３の表示位置を含む所定の範囲内の位置であれば、どのような位置であってもよい。例えば、アイコン１６４は、ユーザにより選択されたメニュー項目１６３の表示位置の近傍の位置から移動を開始してもよい。
【００４９】
アイコン１６４が表示される位置は、実施形態で説明した位置に限定されない。アイコン１６４が表示される位置は、サブ領域１６２ａにおける位置であれば、どのような位置であってもよい。例えばアイコン１６４は、サブ領域１６２ａの上端の位置に、メイン領域１６１側に突出するように表示されてもよい。なお、このようなアイコン１６４の位置も、サブ領域１６２ａにおける位置に含まれる。
【００５０】
アイコン１６４として用いられる画像は、実施形態で説明した画像に限定されない。アイコン１６４として用いられる画像は、メニュー項目１６３を表すものであればどのような画像であってもよい。例えば、メニュー項目１６３に含まれるマーク１６５がそのままアイコン１６４として用いられてもよい。
【００５１】
アイコン１６４が移動する軌跡は、実施形態で説明した放物線の軌跡に限定されない。例えば、アイコン１６４は、直線を描くように移動してもよいし、ジグザグに移動してもよい。
【００５２】
サブ領域１６２ａ又は１６２ｂ内に表示されるメニュー項目１６３の数は、実施形態で説明した数に限定されない。例えば、メニュー項目１６３の数が多い場合、サブ領域１６２ｂには、より多くのメニュー項目１６３が表示される。また、メニュー項目１６３の配列も、実施形態で説明した例に限定されない。例えば、メニュー項目１６３は、Ｙ方向に沿って一列に並べて表示されてもよい。
【００５３】
メニュー項目１６３は、アプリケーションにより実行される処理の選択肢に限定されない。例えば、メニュー項目１６３は、携帯端末１０で起動されるアプリケーションの選択肢であってもよい。
【００５４】
メニュー表示処理の各ステップの順番は、実施形態で説明した順番に限定されない。例えば、実施形態で説明した順番とは異なる順番が用いられてもよいし、複数のステップがまとめて実行されてもよい。
【００５５】
上述した実施形態では、携帯端末１０の機能はいずれもソフトウェアにより実現されていたが、これらの機能の少なくとも一部がハードウェアにより実現されてもよい。
【００５６】
上述した実施形態では、本発明を携帯端末１０に適用した例を説明したが、本発明の対象となる装置は携帯端末１０に限定されない。本発明は、メニューを表示する装置であれば、どのような装置に適用されてもよい。例えば、本発明は、パーソナルコンピュータやゲーム機に適用されてもよい。
【００５７】
携帯端末１０のプロセッサ１１により実行されるプログラムは、インターネットなどの通信回線を介してダウンロードされてもよい。また、このプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００５８】
１０：携帯端末、１１：プロセッサ、１２：メインメモリ、１３：通信部、１４：音声入出力部、１５：入力部、１６：表示部、１７：記憶部、１８：加速度センサ、１１１：表示制御部、１１２：検出部。
【図１】
2015141662.tif 000003
【図２】
2015141662.tif 000004
【図３】
2015141662.tif 000005
【図４】
2015141662.tif 000006
【図５】
2015141662.tif 000007
【図６】
2015141662.tif 000008
【図７】
2015141662.tif 000009
【図８】
2015141662.tif 000010
【図９】
2015141662.tif 000011
【図１０】
2015141662.tif 000012
【図１１】
2015141662.tif 000013
【図１２】
2015141662.tif 000014